(57)【要約】  本発明は、靴の、特にスポーツシューズの、タング（１０）であって、靴の使用中にタングの上部領域の外側に配置される少なくとも１つの閉口手段経路（２０）と、閉口手段経路（２０）の裏において使用者に面して配置されるポケット、特に閉口手段収容ポケット（３０）とを備えるタング（１０）と、そのようなタングを備える靴とに関する。
2013529995.tif 000002
【特許請求の範囲】
【請求項１】
靴の、特にスポーツシューズの、タング（１０）であって、
前記靴の使用中に前記タングの上部領域の外側に配置される、少なくとも１つの閉口手段経路（２０）と、
該閉口手段経路（２０）の裏において使用者に面して配置される、ポケット、特に閉口手段収容ポケット（３０）と、
を備えることを特徴とするタング。
【請求項２】
請求項１に記載のタングであって、
前記閉口手段経路（２０）は、環状体の形状を有し、該環状体を通って、少なくとも１つの閉口手段（４０）、好ましくは少なくとも１つのテープまたは少なくとも１つの靴紐が案内される
ことを特徴とするタング。
【請求項３】
前記請求項のいずれか１項に記載のタングであって、
前記環状体は、弾性を有し、閉口手段（４０）の係止機構（５０）、特に締付け装置を収容および／または保持するように任意に構成される
ことを特徴とするタング。
【請求項４】
前記請求項２または３のいずれか１項に記載のタングであって、
前記環状体は、特にぴったり合うような態様で、前記係止機構（５０）を収容および保持するための切り欠き（６０）、特にスロット状の切り欠きを備える
ことを特徴とするタング。
【請求項５】
前記請求項のいずれか１項に記載のタングであって、
前記閉口手段収容ポケット（３０）および／または前記閉口手段経路（２０）は、前記タング（１０）と一体である
ことを特徴とするタング。
【請求項６】
前記請求項のいずれか１項に記載のタングを備える靴。
【発明の詳細な説明】
【発明の詳細な説明】
【０００１】
本発明は、特許請求項１の前文に記載の靴のタングと、また、特許請求項６の前文に記載の靴とに関する。
タングは、着用者の足の最前部および甲に対向する正面で靴を閉口する、一般に知られている靴の部分である。靴によっては、特にスポーツシューズにおいては、タングが閉口機構または締結機構の一部を追加的に形成しているものもあり、そのような靴においては、通常は中間部および／または上部である、タングの特定の部分が、靴の閉口機構または締結機構に関連している。靴に用いられるこのような締結機構または締付け機構は、例えば、ＤＥ６０１  ０６  ８１６に記載されており、タングは、開口部を備えたポケットをその上部領域に有し、このポケットを通って靴紐が延在し、このポケット内に靴紐係止要素が収納され得る。しかしながら、ＤＥ６０１  ０６  ８１６に記載された締結機構には、欠点がある。この欠点というのは、靴または靴紐の締結または閉口中に使用者によって把持されることになる靴紐の、環状体の形状である自由端が、閉位置において靴紐を係止した後に比較的長く、また、靴紐の係止要素と同じポケットに格納されるため、ポケットが非常に大きく作られなければならない一方、余分な靴紐がポケットに押し込まれる際に、係止要素が再び解けてしまう虞があり、その結果、靴の締結に緩みが生じるということである。さらに、余分な靴紐が意図的または非意図的にポケットから引き出される際に、係止要素が同じように引き出されて、意図することなく解けてしまいかねない、というさらなる虞がある。
【０００２】
本発明の目的は、上述した欠点を解消することであり、また、改善された閉口機構を有することに加えて、例えば靴紐などの余分な閉口手段の確実な格納が確保される、靴のタング、および靴を提供することである。
【０００３】
上記目的は、特許請求項１に記載の靴のタングによって、また、特許請求項６に記載の、当該タングを備えた靴によって、達成される。
具体的には、上記目的は、靴の使用中にタングの上部領域の外側に配置される少なくとも１つの閉口手段経路と、閉口手段経路の裏において使用者に面して配置されるポケット、特に閉口手段収容ポケットと、を有する、靴の、特にスポーツシューズの、タングによって達成される。
【０００４】
本発明の重要な局面は、タングが少なくとも１つの閉口手段経路を有し、当該閉口手段経路は、靴の使用中にタングの上部領域の外側に配置され、当該閉口手段経路を通って、例えば靴紐などの閉口手段が延在することが可能である一方、閉口手段収容ポケットが、タング上またはタング内において、閉口手段経路の裏に、すなわち使用者に面して、配置されており、上記閉口手段収容ポケット内に、例えば１つまたは複数の上述した靴紐などの、余剰の閉口手段が収納され得ることである。このように、本発明によれば、閉口手段経路上または閉口手段経路内のタングの上部領域に、靴紐などの閉口手段を固定する働きをする係止機構を収納することが可能である一方、上述した靴紐などのような、余分および／または余剰の閉口手段が、上述の上部領域とは別に、閉口手段経路と靴の着用者との間に配置されたポケットに収納可能である。その結果、係止機構と閉口機構とが互いに影響を及ぼし合う虞がないため、余剰の閉口手段がポケットに格納される際、またはポケットから除去される際に、係止機構が余剰の閉口手段によって意図することなく開放される虞がもはやない。
【０００５】
本発明の特定の実施形態によれば、閉口手段経路は環状体の形状を有し、この環状体を通って、少なくとも１つの閉口手段、好ましくは少なくとも１つのテープまたは少なくとも１つの靴紐が案内される。本発明に係るこの環状体は、必要に応じて紐の環状体またはテープの環状体のいずれかの形状となり得る。しかし、好ましくは側方取付の点もしくは縫い目、鋲締め、または接着接合によって、例えば、タングの前面上部領域に平坦に取り付けられる、表面積の大きいポケット状の環状体もまた、本発明の範囲に含まれる。
【０００６】
本発明によれば、環状体はさらに弾性を有し、閉口手段の係止機構、特に締付け装置を収容および／または保持するように任意に構成され、係止機構は、紐もしくはテープの形状を有する環状体に保持および固定されること、または、ポケット状の環状体に完全に収納されることが可能である。係止機構は、ポケット状の環状体の固定的要素として構成されて、ポケット状の環状体に固定的に一体化され得るものであるか、または、このポケットに挿入され、このポケットから除去され得るものであるか、のいずれかであることが、ここで注目されるべきである。
【０００７】
本発明によれば、環状体が、特にぴったり合うような態様で、係止機構を収容および保持する働きをする切り欠き、特にスロット状の切り欠きを備え得る態様が、さらに提供される。このように、係止機構は、環状体上または環状体内、すなわち係止機構のために設けられた環状体のスロット状の切り欠き内に、確実に収納され得る一方で、靴を締付けまたは閉口するため、および閉口手段を解放するための取扱いに際して、簡単かつ便利に接触可能である。
【０００８】
本発明のさらなる実施形態によれば、閉口手段収容ポケットおよび／または閉口手段経路は、タングと一体的に形成され、そのため、閉口手段収容ポケットおよび／または閉口手段経路の双方がタングに完全に収納される結果、タングの厚さは、全く増加しないか、または無視できる程度にしか増加しない。あるいは、閉口手段経路がタングの上部領域に位置付けられ、そこに縫合、接着接合、鋲締め、または溶接される態様が、提供され得る。さらに、閉口手段収容ポケットも、既存の完成したタングに縫合、または、他の方法で取り付けることが可能である。あるいは、閉口手段収容ポケットは、タングの製造中にタング上に載置されて、特に、縫合、接着接合、鋲締め、または溶接によって、タングに結合され得る。
【０００９】
本発明の目的は、上述の実施形態に係るタングを備えた靴によって、さらに達成される。
本発明のさらなる実施形態は、従属項から明らかになるだろう。
【００１０】
本発明を、以下の図面に基づいてより詳細に説明される、例示的な実施形態に基づいて、以下に説明する。
【図面の簡単な説明】
【００１１】
【図１】閉口手段経路およびその裏に位置する閉口手段収容ポケットの本発明に係る、第１の実施形態の概略図である。
【図２】本発明のさらなる実施形態の概略図である。
【図３】本発明のさらなる実施形態の概略図である。
【図４−７】本発明に係るタングを備えた靴を示している。
【図８−９】図４−７に記載の本発明に係るタングの詳細図を示している。
【発明を実施するための形態】
【００１２】
以下の説明では、同一の部分、および同一の機能を有する部分に対して、同一の参照符号が使用されている。
図１は、本発明に係る閉口手段経路２０の概略図を示し、閉口手段経路２０を通って、ループ状に案内された靴紐４０の形態である、閉口手段４０が延在している。閉口手段経路２０は、ポケット状の環状体の形態であり、その環状体には係止機構５０が収納され、係止機構５０を通って靴紐４０が再び延在する。図１からさらに明らかであるのは、閉口手段経路２０の裏に、余分または余剰の閉口手段４０が収納される閉口手段収容ポケット３０が配置されていることである。さらに閉口手段収容ポケット３０の裏には、図１に概略的に示される装置が縫合され得るタングを配置することが可能である。あるいは、図１に示される装置を（図１には図示しない）タング１０に直接一体化することも可能である。
【００１３】
図２および図３は、それぞれ本発明に係るタングの概略図であり、図２および図３に示される実施形態では、閉口手段経路２０は、それぞれポケット状の環状体の形態であり、それぞれの環状体は、閉口手段４０が係止機構５０によって締付けおよび保持される際に、係止機構５０がぴったり合うような態様で固定され得る、切り欠き６０を有する。図２にさらに示されているのは、閉口手段４０がどのように係止機構５０を通って、また閉口手段経路２０を通って延在しているかである。閉口手段４０は、閉口手段経路２０において「ボタン穴状切開」から現れ、環状に延在する紐として示されている。
【００１４】
図２では、閉口手段経路２０に配置された切り欠き６０は、まだ係止機構５０によって塞がれていない一方、図３では、係止機構５０は、閉口手段経路２０の切り欠き６０に、ぴったり合うような態様で保持されている。さらに、図３は、閉口手段４０が、閉口手段経路２０の裏に配置された閉口手段収容ポケット３０にどのように収納されるかを示している。閉口手段４０の自由端は、図１における態様と同じく、図２および図３において、付随する靴の締結機構の方に延在している。
【００１５】
図４−７は、本発明に係るタング１０が、本発明に係る靴にどのように配置されているか、および、閉口手段４０が、どのように靴の締結機構を形成し、閉口手段経路２０を通って延在しているかを示している。閉口手段４０を固定し得る手段である係止機構５０は、閉口手段経路２０に収納され、閉口手段経路２０は、図４−７によれば、この場合は切り欠き６０を有さない、ポケット状の環状体の形態である。そして、係止機構５０は、閉口手段経路のポケット状の環状体内に下方から挿入される。すなわち、係止機構５０は、靴の締結機構から到来する。また、閉口手段４０は、弾性を有するポケット状の環状体の上端から延在する。弾性を有する閉口手段経路２０は、タング１０の上部に配置され、また、閉口手段４０が簡素な態様で案内される形状である一方、係止機構５０は、閉口手段４０の締付け後に切り欠き６０に保持され得る。切り欠き６０は、係止機構５０を収容することが可能な、特に十分な幅を有する大きさであるが、係止機構５０の確実な保持が不可能になるほど幅広くはない。
【００１６】
次に、閉口手段収容ポケット３０は、係止機構５０から閉口手段経路２０の上述の「ボタン穴状切開」を通ってタング１０の上部側の方に延出する、閉口手段４０が、簡単かつ確実に収納され得るように構成され、その結果、特に靴紐である、余剰の閉口手段が靴の外側にだらしなく垂れ下がることがない。
【００１７】
図８は、閉口手段経路２０を備えた、本発明に係る靴のタング１０の上部領域の拡大図を示し、閉口手段経路２０は、ポケットの形態であり、係止機構５０を収容するように構成されている。図８における詳細図は、閉口手段４０が後方に延在して、（図８では視認できない）閉口手段収容ポケット３０の中に入る、靴の正面図を示している。閉口手段収容ポケット３０は、図９で視認でき、図９は、「ボタン穴状切開」から延出する閉口手段４０がどのように収納され得るかを示している。
【００１８】
したがって、本発明に係るタングは、一方では閉口手段、すなわち好ましくは靴紐を、固定または係止するために設けられる、ツインポケット機構を有利に有する。閉口手段は、ポケット状の環状体を通って延在し、続いてその余剰部分は、タングを正面から見た場合に閉口手段経路２０の後方に配置される、閉口手段収容ポケット内に格納され得る。
【００１９】
ここで注目すべきは、特に図面に詳細が示されている、上述した全ての要素は、単独で、そして組み合わされて、請求項に記載されているということである。これらの要素の変更は、当業者にはよく知られている。
［参照符号一覧］
１０  タング
２０  閉口手段経路
３０  閉口手段収容ポケット
４０  閉口手段
５０  係止機構
６０  切り欠き
【図１】
2013529995.tif 000003
【図２】
2013529995.tif 000004
【図３】
2013529995.tif 000005
【図４】
2013529995.tif 000006
【図５】
2013529995.tif 000007
【図６】
2013529995.tif 000008
【図７】
2013529995.tif 000009
【図８】
2013529995.tif 000010
【図９】
2013529995.tif 000011
【国際調査報告】
2013529995.tif 000012
2013529995.tif 000013
2013529995.tif 000014
2013529995.tif 000015